(57)【要約】      （修正有）【課題】設置面の凹凸をほぼ完全に吸収して３本の脚の下端からなる３点の支持点の高さ位置を略同一高さ位置とし、３本の脚の下端を略同一平面上に位置させることができる三脚用脚高さ調節装置を提供する。【解決手段】三脚用脚高さ調節装置は、支持板３０が、本体部１０に高さ調節板を装着しない第１の高さ位置と、本体部１０の異なる高さ位置に設けた挿入孔のうちの低い高さ位置にある挿入孔１３ａ、１４ａに高さ調節板を装着したときの第２の高さ位置と、本体部１０に設けた挿入孔のうちの高い高さ位置にある挿入孔１５ａ、１６ａに高さ調節板を装着したときの第３の高さ位置とからなる３段階の高さ位置のいずれかに選択的に配置して、当該高さ位置で三脚の脚を支持することができるようになっている。【選択図】図２１
0003225609.tif 000002
【実用新案登録請求の範囲】
【請求項１】
本体部と、高さ調節板と、支持板とを備え、
前記本体部は、上端を所定形状に開口して開口部とすると共に、下端を前記開口と同一平面形状の底壁により閉塞した、中空体状の箱状に形成され、
前記本体部において、前記底壁の前側部及び後側部には、それぞれ、前側壁及び後側壁が、前記底壁に直交して立設され、
前記前側壁及び前記後側壁には、それぞれ、同一高さ位置である第１の高さ位置に、水平方向に延びる第１の挿入孔が、厚さ方向に貫通形成され、
前記底壁の左側部及び右側部には、それぞれ、左側壁及び右側壁が、前記底壁に直交して立設され、
前記左側壁及び前記右側壁には、それぞれ、同一高さ位置であって前記第１の高さ位置と異なる第２の高さ位置に、水平方向に延びる第２の挿入孔が、厚さ方向に貫通形成され、
前記高さ調節板は、前記第１の挿入孔及び前記第２の挿入孔に挿入自在な平板状をなす挿入部と、前記挿入部の長さ方向一端部の厚さ方向一側面側に移動不能となるよう一体的に接合して固定した規制部とからなり、
前記左側壁の第２の挿入孔及び前記右側壁の第２の挿入孔は、それぞれ、前記前側壁の第１の挿入孔及び前記後側壁の第１の挿入孔と同一の孔形状に形成され、これにより、前記高さ調節板の挿入部は、前記左側壁の第２の挿入孔及び前記右側壁の第２の挿入孔に貫通して挿入自在とされる一方で、前記前側壁の第１の挿入孔及び前記後側壁の第１の挿入孔にも貫通して挿入自在であり、
前記支持板は、前記本体部の上端の前記開口と同一の平面形状及び同一寸法の平板状とされ、
前記支持板は、前記本体部に前記高さ調節板を装着しない高さ調節板非装着状態における第１の高さ位置と、前記本体部に設けた前記第１の挿入孔及び第２の挿入孔のうちの低い高さ位置にある挿入孔に前記高さ調節板を装着したときの前記高さ調節板の第１の装着状態における第２の高さ位置と、前記本体部に設けた前記第１の挿入孔及び第２の挿入孔のうちの高い高さ位置にある挿入孔に前記高さ調節板を装着したときの前記高さ調節板の第２の装着状態における第３の高さ位置とからなる３段階の高さ位置のいずれかに選択的に配置して、当該高さ位置で三脚の脚を支持することができるようになっていることを特徴とする三脚用脚高さ調節装置。
【請求項２】
本体部と、高さ調節板と、支持板とを備え、
前記本体部は、上端を正方形上に開口して開口部とすると共に、下端を正方形平板状の底壁により閉塞した、中空立方体状の箱状に形成され、
前記本体部において、前記底壁の前側の側縁部及び後側の側縁部には、それぞれ、正方形平板状の前側壁及び後側壁が、前記底壁に直交して立設され、
前記前側壁及び前記後側壁には、それぞれ、同一高さ位置である第１の高さ位置に、水平方向に延びる直線矩形スロット状の第１の挿入孔が、厚さ方向に貫通形成され、
前記底壁の左側の側縁部及び右側の側縁部には、それぞれ、正方形平板状の左側壁及び右側壁が、前記底壁に直交して立設され、
前記左側壁及び前記右側壁には、それぞれ、同一高さ位置であって前記第１の高さ位置と異なる第２の高さ位置に、水平方向に延びる直線矩形スロット状の第２の挿入孔が、厚さ方向に貫通形成され、
前記高さ調節板は、矩形平板状をなす挿入部と、前記挿入部の長さ方向一端部の厚さ方向一側面側に移動不能となるよう一体的に接合して固定した規制部とからなり、
前記左側壁の第２の挿入孔及び前記右側壁の第２の挿入孔は、それぞれ、前記前側壁の第１の挿入孔及び前記後側壁の第１の挿入孔と同一の孔形状に形成され、これにより、前記高さ調節板の挿入部は、前記左側壁の第２の挿入孔及び前記右側壁の第２の挿入孔に貫通して挿入自在とされる一方で、前記前側壁の第１の挿入孔及び前記後側壁の第１の挿入孔にも貫通して挿入自在であり、
前記支持板は、前記本体部の上端の前記開口と同一の平面形状及び同一寸法の矩形平板状とされ、
前記支持板は、前記本体部に前記高さ調節板を装着しない高さ調節板非装着状態における第１の高さ位置と、前記本体部に設けた前記第１の挿入孔及び第２の挿入孔のうちの低い高さ位置にある挿入孔に前記高さ調節板を装着したときの前記高さ調節板の第１の装着状態における第２の高さ位置と、前記本体部に設けた前記第１の挿入孔及び第２の挿入孔のうちの高い高さ位置にある挿入孔に前記高さ調節板を装着したときの前記高さ調節板の第２の装着状態における第３の高さ位置とからなる３段階の高さ位置のいずれかに選択的に配置して、当該高さ位置で三脚の脚を支持することができるようになっていることを特徴とする三脚用脚高さ調節装置。
【請求項３】
前記高さ調節板の挿入部は、前記本体部の左側壁の挿入孔及び右側壁の挿入孔、並びに、前側壁の挿入孔及び後側壁の挿入孔に貫通して挿入自在となるよう、当該挿入孔と同一横断面形状となる平板状の板材を、平面長方形平板状となるよう加工して形成したものであることを特徴とする請求項１又は２記載の三脚用脚高さ調節装置。
【考案の詳細な説明】
【技術分野】
【０００１】
本考案は、三脚用脚高さ調節装置に関し、特に、園芸用又は庭木剪定用の脚立として使用される三脚の脚の高さを調節する三脚用脚高さ調節装置に関するものである。
【背景技術】
【０００２】
従来の園芸用又は庭木剪定用の脚立として使用される三脚は、梯子の両側部を構成する一対（２本）の脚（以下、「一対支持脚」）と、前記一対支持脚と対向配置される１本の脚（以下、「単独支持脚」）とを備え、その使用状態となる展開状態で、前記２本の一対支持脚の下端の２点と、前記単独支持脚の下端の１点とからなる、合計三点の支持点により、略二等辺三角形の頂点に相当する３点で三脚を支持するようになっている。そして、その使用時、例えば、庭木剪定時には、剪定作業者が、剪定対象の庭木の直近位置に三脚を設置するが、三脚を設置する設置面（通常は、庭土等の土材質の表面）に凹凸がある場合、三脚の３本の脚（地面に接地する支持点となる３点の脚）について、梯子の両側部を構成する前記２本の脚（一対支持脚）と、当該一対支持脚に対向配置される前記１本の脚（単独支持脚）とを、それぞれ、前記設置面の凹凸による高さの差異をできるだけ吸収するような配置に調節し、設置面の凹凸に対応している。
【０００３】
しかし、三脚の設置面の凹凸の程度や凹凸の位置の態様等によっては、三脚の３本の脚の位置の調節では対応できない（即ち、凹凸をほぼ完全に吸収して３点の高さ位置を略同一高さ位置とし、３本の下端の３点の高さが略同一平面上に位置するようにできない）場合があり、また、三脚の３本の脚の位置の調節だけでは、三脚に使用者（剪定作業者）が登って作業をするときに、三脚の安定性を十分高く維持することができず、三脚が使用者の姿勢の変更等に応じてぐらついたりする可能性もある。
【０００４】
ここで、三脚の設置面の凹凸の程度や凹凸の位置の態様等に応じて、三脚の３本の脚の位置の調節では対応できない場合に、設置面の凹凸をほぼ完全に吸収して３本の脚の下端からなる３点の支持点の高さ位置を略同一高さ位置とし、３本の脚の下端を略同一平面上に位置させることができる装置があれば、三脚に使用者（剪定作業者）が登って作業をするときに、三脚の安定性を十分高く維持することができ、三脚が使用者の姿勢の変更等に応じてぐらついたりすることを防止することができ、そのような装置の提供が使用者の安全性等の点からも高く望まれる。
【０００５】
しかし、園芸用又は庭木剪定用の脚立として使用される三脚の脚の高さを調節する装置は、本出願人の知り得るところでは存在しない。
【先行技術文献】
【特許文献】
【０００６】
【特許文献１】実開平２−９２１９７号公報
【特許文献２】実開平６−２４２００号公報
【考案の概要】
【考案が解決しようとする課題】
【０００７】
ここで、特許文献１には、脚の高さを調節自在な三脚が開示されている。即ち、特許文献１には、二本の支持管と、高度調節外管と、高度調節内管と、ジョイントと、防脱リングとを有し、前記高度調節外管を前記二本の支持管の間に配設して、これらを上端にお底固定すると共に、下端において前記ジョイントで位置決めし、前記高度調節外管の管壁に複数組の対称的硬度規定孔を穿設すると共に、センターライン及び高度目盛を刻設し、一方、前記硬度調節内管の上端に前記硬度規定孔に嵌入自在に弾性付勢された固定用突起を設けると共に、その管壁にもセンターライン及び高度目盛を刻設し、前記高度調節内管内に、必要に応じて一段又は数段の小管を挿入できるようにした三脚用簡易円筒脚管高度調節固定装置が開示されている。（特許文献１の実用新案登録請求の範囲参照。）
【０００８】
また、特許文献２には、主として園芸用に供される三脚形脚立の補助足場が開示されている。即ち、特許文献２には、はしご部と支杆部とがはしご部上面折返し部で折り返された三脚形脚立の前記折返し部付近の支杆部に対して取付ける補助足場であって、該補助足場はアルミ型材からなる支杆取付材と足場材の２部材と、これら２部材をヒンジ結合する足場材の回動支軸とからなる三脚形脚立の補助足場が開示されている。（特許文献２の要約参照。）
【０００９】
しかし、特許文献１に記載の三脚の脚高さ調節装置は、園芸用又は庭木剪定用の脚立として使用される三脚用の脚高さ調節装置ではなく、写真機（カメラ）に使用される三脚用の脚高さ調節装置であり、その高さ調節装置を園芸用又は庭木剪定用の脚立として使用される三脚にそのまま応用することは困難である。
【００１０】
また、特許文献２に記載の三脚形脚立の補助足場は、三脚の脚高さ自体を調節する装置ではなく、上記のような園芸用の三脚の使用時に設置面に凹凸がある場合に、設置面の凹凸を吸収することはできない。
【００１１】
そこで、本考案は、三脚の３本の脚の位置の調節では対応できない場合でも、設置面の凹凸をほぼ完全に吸収して３本の脚の下端からなる３点の支持点の高さ位置を略同一高さ位置とし、３本の脚の下端を略同一平面上に位置させることができる三脚用脚高さ調節装置の提供を課題とする。
【課題を解決するための手段】
【００１２】
本考案に係る三脚用脚高さ調節装置は、本体部と、高さ調節板と、支持板とを備える。前記本体部は、上端を所定形状に開口して開口部とすると共に、下端を前記開口と同一平面形状の底壁により閉塞した、中空体状の箱状に形成されている。前記本体部において、前記底壁の前側部及び後側部には、それぞれ、前側壁及び後側壁が、前記底壁に直交して立設されている。前記前側壁及び前記後側壁には、それぞれ、同一高さ位置である第１の高さ位置に、水平方向に延びる第１の挿入孔が、厚さ方向に貫通形成されている。前記底壁の左側部及び右側部には、それぞれ、左側壁及び右側壁が、前記底壁に直交して立設されている。前記左側壁及び前記右側壁には、それぞれ、同一高さ位置であって前記第１の高さ位置と異なる第２の高さ位置に、水平方向に延びる第２の挿入孔が、厚さ方向に貫通形成されている。前記高さ調節板は、前記第１の挿入孔及び前記第２の挿入孔に挿入自在な平板状をなす挿入部と、前記挿入部の長さ方向一端部の厚さ方向一側面側に移動不能となるよう一体的に接合して固定した規制部とからなる。前記左側壁の第２の挿入孔及び前記右側壁の第２の挿入孔は、それぞれ、前記前側壁の第１の挿入孔及び前記後側壁の第１の挿入孔と同一の孔形状に形成され、これにより、前記高さ調節板の挿入部は、前記左側壁の第２の挿入孔及び前記右側壁の第２の挿入孔に貫通して挿入自在とされる一方で、前記前側壁の第１の挿入孔及び前記後側壁の第１の挿入孔にも貫通して挿入自在である。前記支持板は、前記本体部の上端の前記開口と同一の平面形状及び同一寸法の平板状とされている。前記支持板は、前記本体部に前記高さ調節板を装着しない高さ調節板非装着状態における第１の高さ位置と、前記本体部に設けた前記第１の挿入孔及び第２の挿入孔のうちの低い高さ位置にある挿入孔に前記高さ調節板を装着したときの前記高さ調節板の第１の装着状態における第２の高さ位置と、前記本体部に設けた前記第１の挿入孔及び第２の挿入孔のうちの高い高さ位置にある挿入孔に前記高さ調節板を装着したときの前記高さ調節板の第２の装着状態における第３の高さ位置とからなる３段階の高さ位置のいずれかに選択的に配置して、当該高さ位置で三脚の脚を支持することができるようになっている。
【考案の効果】
【００１３】
本考案に係る三脚用脚高さ調節装置は、三脚の設置面の凹凸の程度や凹凸の位置の態様等に応じて、三脚の３本の脚の位置の調節では対応できない場合に、設置面の凹凸をほぼ完全に吸収して３本の脚の下端からなる３点の支持点の高さ位置を略同一高さ位置とし、３本の脚の下端を略同一平面上に位置させることができ、三脚に使用者が登って作業をするときに、三脚の安定性を十分高く維持することができ、三脚が使用者の姿勢の変更等に応じてぐらついたりすることを防止することができ、使用者の安全性等を飛躍的に向上することができる。
【図面の簡単な説明】
【００１４】
【図１】図１は本考案の一実施の形態に係る三脚用脚高さ調節装置の本体部を示す正面図である。
【図２】図２は本考案の一実施の形態に係る三脚用脚高さ調節装置の本体部を示す背面図である。
【図３】図３は本考案の一実施の形態に係る三脚用脚高さ調節装置の本体部を示す右側面図である。
【図４】図４は本考案の一実施の形態に係る三脚用脚高さ調節装置の本体部を示す左側面図である。
【図５】図５は本考案の一実施の形態に係る三脚用脚高さ調節装置の本体部を示す平面図である。
【図６】図６は本考案の一実施の形態に係る三脚用脚高さ調節装置の本体部を示す底面図である。
【図７】図７は本考案の一実施の形態に係る三脚用脚高さ調節装置の本体部を示す斜視図である。
【図８】図８は本考案の一実施の形態に係る三脚用脚高さ調節装置の高さ調節板の平面側を示す斜視図である。
【図９】図９は本考案の一実施の形態に係る三脚用脚高さ調節装置の高さ調節板の底面側を示す斜視図である。
【図１０】図１０は本考案の一実施の形態に係る三脚用脚高さ調節装置の支持板の平面側を示す斜視図である。
【図１１】図１１は本考案の一実施の形態に係る三脚用脚高さ調節装置の支持板の底面側を示す斜視図である。
【図１２】図１２は本考案の一実施の形態に係る三脚用脚高さ調節装置を示す正面図である。
【図１３】図１３は本考案の一実施の形態に係る三脚用脚高さ調節装置を示す背面図である。
【図１４】図１４は本考案の一実施の形態に係る三脚用脚高さ調節装置を示す右側面図である。
【図１５】図１５は本考案の一実施の形態に係る三脚用脚高さ調節装置を示す左側面図である。
【図１６】図１６は本考案の一実施の形態に係る三脚用脚高さ調節装置を示す平面図である。
【図１７】図１７は本考案の一実施の形態に係る三脚用脚高さ調節装置を示す底面図である。
【図１８】図１８は本考案の一実施の形態に係る三脚用脚高さ調節装置を示す斜視図である。
【図１９】図１９は本考案の一実施の形態に係る三脚用脚高さ調節装置の高さ調節板を移動させた状態を示す斜視図である。
【図２０】図２０は本考案の一実施の形態に係る三脚用脚高さ調節装置の高さ調節板及び支持板を移動させた第１の状態を示す斜視図である。
【図２１】図２１は本考案の一実施の形態に係る三脚用脚高さ調節装置の高さ調節板及び支持板を移動させた第２の状態を示す斜視図である。
【考案を実施するための形態】
【００１５】
以下、本考案の一実施の形態に係る三脚用脚高さ調節装置を図１〜図２１を参照して説明する。
【００１６】
図１〜図２１に示すように、本実施の形態に係る三脚用脚高さ調節装置は、例えば、園芸用又は庭木剪定用の脚立として使用される三脚の脚の高さを調節する三脚用脚高さ調節装置に具体化されている。
【００１７】
［全体構成］
本実施の形態の三脚用脚高さ調節装置は、図２０及び図２１に示すように、本体部１０、高さ調節板２０、及び、支持板３０を備えている。なお、本体部１０、高さ調節板２０、及び、支持板３０は、木質材料（通常の木板等）に切断加工や接合加工（接着等）等を施すことで形成することができる。或いは、本体部１０、高さ調節板２０、及び、支持板３０は、合成樹脂材料（熱可塑性樹脂材料等）に所定の成形加工（射出成型等）等を施すことで形成することもできる。
【００１８】
［本体部］
本体部に係る正面図（図１）、背面図（図２）、右側面図（図３）、左側面図（図４）、平面図（図５）、底面図（図６）、正面・平面・右側面を示す斜視図（図７）等に示すように、本体部１０は、矩形の箱状をなしている。正確には、本体部１０は、上端を正方形上に開口して開口部１１とすると共に、下端を正方形平板状の底壁１２により閉塞した、中空立方体状の箱状に形成されている。
【００１９】
＜底壁＞
本体部１０の底壁１２は、正方形平板状をなしている。底壁１２は本体部１０の開口１１と同一寸法の正方形であり、本体部１０の底面側の開口を完全に閉塞している。
【００２０】
＜前側壁／後側壁＞
また、本体部１０において、底壁１２の前側の側縁部及び後側の側縁部には、それぞれ、正方形平板状の前側壁１３（正面図で視認される正方形状の面）及び後側壁１４（背面図で視認される正方形状の面）が、底壁１２に直交して立設されている。
【００２１】
＜前側壁の挿入孔／後側壁の挿入孔＞
前側壁１３及び後側壁１４には、ぞれぞれ、所定の同一高さ位置に、左右方向（水平方向）に延びる直線矩形スロット状（横長の長方形の貫通孔状）の挿入孔１３ａ及び挿入孔１４ａが、厚さ方向に貫通形成されている。詳細には、前側壁１３の挿入孔１３ａ及び後側壁１４の挿入孔１４ａは、それぞれ、前側壁１３及び後側壁１４を上下方向（高さ方向）に二分割した場合に、前側壁１３及び後側壁１４の下側半部の上端部に位置する高さ位置に、左右方向（水平方向）に延びる直線矩形スロット状（横長の長方形の貫通孔状）となるよう、厚さ方向に貫通形成されている。或いは、別例として、前側壁１３の挿入孔１３ａ及び後側壁１４の挿入孔１４ａは、それぞれ、前側壁１３及び後側壁１４の高さ方向全体の下端から約１／３の高さ位置に、左右方向（水平方向）に延びる直線矩形スロット状（横長の長方形の貫通孔状）となるよう、厚さ方向に貫通形成してもよい。
【００２２】
＜左側壁／右側壁＞
また、底壁１２の左側の側縁部及び右側の側縁部には、それぞれ、正方形平板状の左側壁１５（左側面図で視認される正方形状の面）及び右側壁１６（右側面図で視認される正方形状の面）が、底壁１２に直交して立設されている。
【００２３】
＜左側壁の挿入孔／右側壁の挿入孔＞
左側壁１５及び右側壁１６には、ぞれぞれ、所定の同一高さ位置に、前後方向（水平方向）に延びる直線矩形スロット状（横長の長方形の貫通孔状）の挿入孔１５ａ及び挿入孔１６ａが、厚さ方向に貫通形成されている。詳細には、左側壁１５の挿入孔１５ａ及び右側壁１６の挿入孔１６ａは、それぞれ、左側壁１５及び右側壁１６を上下方向（高さ方向）に二分割した場合に、左側壁１５及び右側壁１６の上側半部の高さ方向中央部に位置する高さ位置に、前後方向（水平方向）に延びる直線矩形スロット状（横長の長方形の貫通孔状）となるよう、厚さ方向に貫通形成されている。或いは、別例として、左側壁１５の挿入孔１５ａ及び右側壁１６の挿入孔１６ａは、それぞれ、左側壁１５及び右側壁１６の高さ方向全体の下端から約２／３の高さ位置に、前後方向（水平方向）に延びる直線矩形スロット状（横長の長方形の貫通孔状）となるよう、厚さ方向に貫通形成してもよい。
【００２４】
＜前側壁の挿入孔／後側壁の挿入孔と左側壁の挿入孔／右側壁の挿入孔との関係＞
更に、左側壁１５の挿入孔１５ａ及び右側壁１６の挿入孔１６ａは、それぞれ、前側壁１３の挿入孔１３ａ及び後側壁１４の挿入孔１４ａと同一の孔形状（幅及び長さを同一とした直線矩形スロット状）に形成されている。これは、同一の矩形平板状をなす高さ調節板２０の挿入部２１（後述）を、左側壁１５の挿入孔１５ａから右側壁１６の挿入孔１６ａに貫通して（或いは、逆に、右側壁１６の挿入孔１６ａから左側壁１５の挿入孔１５ａに貫通して）挿入自在とする一方で、同一の高さ調節板２０の挿入部２１を、前側壁１３の挿入孔１３ａから後側壁１４の挿入孔１４ａに貫通して（或いは、逆に、後側壁１４の挿入孔１４ａから前側壁１３の挿入孔１３ａに貫通して）挿入自在とするためである。
【００２５】
［高さ調節板］
高さ調節板２０に係る正面・平面・右側面を示す斜視図（図８）、正面・底面・左側面を示す斜視図（図９）等に示すように、前記高さ調節板２０は、挿入部２１及び規制部２２から構成されている。即ち、高さ調節板２０は、挿入部２１の長さ方向一端部の厚さ方向一側面側（下面側）に規制部２２を移動不能となるよう一体的に接合して固定した構成である。
【００２６】
＜挿入部＞
高さ調節板２０の挿入部２１は、左側壁１５の挿入孔１５ａ及び右側壁１６の挿入孔１６ａ並びに前側壁１３の挿入孔１３ａ及び後側壁１４の挿入孔１４ａに貫通して挿入自在となるよう、当該挿入孔１３ａ，１４ａ，１５ａ，１６ａと同一横断面形状（及び、同一横断面寸法）となる平板状の板材を、平面長方形平板状となるよう加工して形成したものである。
【００２７】
即ち、高さ調節板２０の挿入部２１の幅は、本体部１０の左側壁１５の挿入孔１５ａ及び右側壁１６の挿入孔１６ａの長さ（水平方向寸法）、又は、前側壁１３の挿入孔１３ａ及び後側壁１４の挿入孔１４ａの長さ（水平方向寸法）と同一寸法に設定されている。一方、高さ調節板２０の挿入部２１の長さは、前記本体部１０の外寸幅（前記左側壁１５の外側面から右側壁１６の外側面までの幅寸法）よりも所定長さ（以下、「余分長」という。）だけ大きな長さに設定されている。そして、高さ調節板２０の挿入部２１を本体部１０の左側壁１５の挿入孔１５ａ及び右側壁１６の挿入孔、又は、前側壁１３の挿入孔１３ａ及び後側壁１４の挿入孔１４ａに貫通して挿入したときに、高さ調節板２０の挿入部２１の長さ方向両端部（一端部及び他端部）が、それぞれ、本体部１０の左側壁１５及び右側壁１６の外側面から、又は、前側壁１３及び後側壁１４の外側面から、所定長さだけ（例えば、前記余分長の約１／２となる長さだけ）突出するようになっている。
【００２８】
＜規制部＞
また、高さ調節板２０の挿入部２１の長さ方向一端縁部には、高さ調節板２０（及び挿入部２１）の幅全体に延びる長方形平板状の規制部２２が（接着等により）移動不能となるよう接合固定して固着されている。規制部２２は、高さ調節板２０（及び挿入部２１）の幅全体に延びる長さ寸法を有すると共に、高さ調節板２０（及び挿入部２１）の一端縁から所定距離だけ（即ち、前記余分長の約１／２の距離だけ）他端縁側に向かって延びる幅寸法を有している。
【００２９】
高さ調節板２０の規制部２２は、高さ調節板２０（及び挿入部２１）の厚さ方向一側面から所定寸法だけ（即ち、規制部２２の厚さ寸法だけ）突出している。そして、規制部２２の幅方向両端面のうち、規制部２２の外端面は、高さ調節板２０（及び挿入部２１）の長さ方向一端面と面一となると共に、規制部２２の内端面は、高さ調節板２０（及び挿入部２１）の長さ方向一端面から長さ方向他端面側に、規制部２２の幅寸法だけ離間した位置に配置されている。そして、高さ調節板２０の規制部２２の内端面により当接規制面２２ａが構成され、例えば、挿入部２１を本体部１０の前側壁１３の挿入孔１３ａから後側壁１４の挿入孔１４ａへと挿入したときに、或いは、左側壁１５の挿入孔１５ａから右側壁１６の挿入孔１６ａへと挿入したときに、その規制部２２の当接規制面２２ａが前側壁１３或いは左側壁１５の外側面に当接して、挿入部２１のそれ以上の挿入方向への移動を規制（即ち、移動停止）するようになっている。
【００３０】
即ち、高さ調節板２０を本体部１０の左側壁１５の挿入孔１５ａ及び右側壁１６の挿入孔１６ａ、又は、前側壁１３の挿入孔１３ａ及び後側壁１４の挿入孔１４ａに貫通して挿入したときに、高さ調節板２０（及び挿入部２１）の長さ方向両端部（一端部及び他端部）が、それぞれ、本体部１０の左側壁１５及び右側壁１６の外側面から、又は、前側壁１３及び後側壁１４の外側面から、所定長さだけ（即ち、前記余分長の一定部分の長さ分だけ、例えば、余分長の約１／２となる長さだけ）突出すると共に、高さ調節板２０（及び挿入部２１）の長さ方向一端部（規制部２２を設けた端部）において、規制部２２の内端面である当接規制面２２ａが、左側壁１５若しくは右側壁１６の外側面、又は、前側壁１３若しくは後側壁１４の外側面に当接して、規制部２２によって挿入部２１がそれ以上挿入方向に移動することを規制する（阻止する）ようになっている。
【００３１】
これにより、高さ調節板２０を本体部１０の左側壁１５の挿入孔１５ａ及び右側壁１６の挿入孔１６ａ、又は、前側壁１３の挿入孔１３ａ及び後側壁１４の挿入孔１４ａに貫通して挿入したときに、高さ調節板２０（及び挿入部２１）の長さ方向両端部（一端部及び他端部）が、それぞれ、本体部１０の左側壁１５及び右側壁１６の外側面から、又は、前側壁１３及び後側壁１４の外側面から、所定長さだけ（即ち、即ち、前記余分長の一定部分の長さ分だけ、例えば、余分長の約１／２となる長さだけ）突出した状態で（即ち、その配置位置で）、高さ調節板２０が安定して本体部１０に装着されるようになっている。
【００３２】
［本体部と支持板の関係］
本体部１０に支持板３０を装着する状態の参考斜視図に示すように、本体部１０の左側壁１５の挿入孔１５ａ及び右側壁１６の挿入孔１６ａ、又は、前側壁１３の挿入孔１３ａ及び後側壁１４の挿入孔１４ａに挿入部２１を貫通挿入して、本体部１０に高さ調節板２０を装着した状態で（即ち、高さ調節板２０の装着状態で）、本体部１０の上端の正方形状の開口１１から、正方形平板状の支持板３０が本体部１０の内部空間に挿入されて、本体部１０の内部の所定高さ位置（即ち、装着状態の高さ調節板２０の挿入部２１の上面の高さ位置）に水平状態で配置されるようになっている。或いは、この高さ調節板２０の装着状態とは逆に、本体部１０に高さ調節板２０を装着しない状態で（即ち、本体部１０への高さ調節板２０の非装着状態で）、本体部１０の上端の正方形状の開口１１から、正方形平板状の支持板３０が本体部１０の内部空間に挿入されて、本体部１０の内部の所定高さ位置（即ち、高さ調節板２０を非装着状態の本体部１０の底壁１１の上面の高さ位置）に水平状態で配置されるようになっている。
【００３３】
即ち、本体部１０の左側壁１５の挿入孔１５ａ及び右側壁１６の挿入孔、又は、前側壁１３の挿入孔１３ａ及び後側壁１４の挿入孔１４ａに挿入部２１を貫通挿入して、高さ調節板２０を本体部１０に装着した場合、支持板３０は、本体部１０の上端の開口１１から下方に向かって（通常は略水平状態のまま）挿入及び移動されて、前記本体部１０の内部空間において前記高さ調節板２０の挿入部２１の上面が配置される高さ位置（即ち、左側壁１５の挿入孔１５ａ及び右側壁１６の挿入孔、又は、前側壁１３の挿入孔１３ａ及び後側壁１４の挿入孔１４ａの上側縁の高さ位置）に、水平状態で安定的に配置されるようになっている。即ち、このとき、当該挿入部２１の上面に支持板３０の下面が当接或いは密接し、支持板３０が装着状態の高さ調節板２０の挿入部２１によって下方から支持されることで、支持板３０が本体部１０の内部空間で前記高さ位置に水平状態で安定的に配置されるようになっている。
【００３４】
即ち、この場合、本体部１０に装着状態の高さ調節板２０の挿入部２１の上面が、支持板３０の載置状態で、支持板３０の下面を下方から支持する載置面（又は支持面）として機能する。
【００３５】
一方、本体部１０に高さ調節板２０を装着しない場合、支持板３０は、本体部１０の上端の開口１１から下方に向かって（通常は略水平状態のまま）挿入及び移動されて、前記本体部１０の内部空間において前記底壁１２の上面が配置される高さ位置（底壁１２の上面の高さ位置）に、水平状態で安定的に配置されるようになっている。即ち、このとき、当該底壁１２の上面に支持板３０の下面が当接或いは密接し、支持板３０が（高さ調節板２０を非装着状態の）本体部１０の底壁１２によって下方から支持されることで、支持板３０が本体部１０の内部空間で前記高さ位置に水平状態で安定的に配置されるようになっている。
【００３６】
即ち、この場合、本体部１０の底壁１２の上面が、支持板３０の載置状態で、支持板３０の下面を下方から支持する載置面（又は支持面）として機能する。
【００３７】
［支持板］
支持板３０に係る正面・平面・右側面を示す斜視図（図１０）、正面・底面・左側面を示す斜視図（図１１）等に示すように、支持板３０は、本体部１０の上端の開口１１と同一の平面形状（正方形状）及び同一寸法（正確には、本体部１０の内部空間に上方から挿入できるよう、微小寸法だけ小さな寸法）の矩形平板状とされている。
【００３８】
そして、支持板３０を本体部１０の上端の開口１１から水平状態で挿入して下方に移動したときに、支持板３０が、本体部１０の四方の側壁（前側壁１３、後側壁１４、左側壁１５、右側壁１６）の内側面上を摺動（又は摺接）して（或いは、微小距離だけ離間状態で移動して）、前記載置面まで移動自在となっている。
【００３９】
［使用方法］
上記のように構成した本実施の形態に係る三脚用脚高さ調節装置は、下記のようにして使用される。
【００４０】
＜使用方法（高さ調節板を装着する場合）＞
まず、本体部１０に高さ調節板２０を装着した使用する場合について説明すると、本体部１０の下側の挿入孔（前側壁１３の挿入孔１３ａ及び後側壁１４の挿入孔１４ａ）に高さ調節板２０を装着開始する共に本体部１０の上端の開口１１から支持板３０を本体部１０の内部空間に装着開始する状態に係る正面・平面・右側面を示す斜視図（図１９）、及び、本体部１０の下側の挿入孔（前側壁１３の挿入孔１３ａ及び後側壁１４の挿入孔１４ａ）に高さ調節板２０を中間位置まで装着して本体部１０の上端の開口１１から支持板３０を本体部１０の内部空間に装着開始する状態に係る正面・平面・右側面を示す斜視図（図１９）等に示すように、前記高さ調節板２０は、本体部１０の下側の挿入孔（前側壁１３の挿入孔１３ａ及び後側壁１４の挿入孔１４ａ）又は上側の挿入孔（左側壁１５の挿入孔１５ａ及び右側壁１６の挿入孔１６ａ）の一方から他方に向けて挿入部２１が装着開始され、規制部２２が本体部１０の側面（挿入開始側にある一方の挿入孔の周縁部）に当接したときに、高さ調節板２０の装着が完了し、高さ調節板２０が本体部１０に対して安定位置に保持される。
【００４１】
＜使用方法（支持板の装着）＞
この後、支持板３０が、本体部１０の上端の開口１１から本体部１０の内部空間に挿入されて、本体部１０の内部空間に向けて下方に移動され、高さ調節板２０挿入部２１の上面（載置面）に当接するまで移動継続される。そして、支持板３０が、高さ調節板２０の挿入部２１の上面（載置面）に当接したときに、支持板３０の装着が完了し、支持板３０９が本体部１０の内部空間の所定高さ位置に安定位置に保持される。
【００４２】
＜使用方法（支持板の高さ位置の調節）＞
支持板３０は、本体部３０に対して３段階の高さ位置に配置して、その高さ位置で三脚の脚（三脚の３本の脚のうち、他の２本の脚の下端の高さ位置に対して高さ位置を調節する必要がある１本の脚の下端の高さ位置）を支持することができるようになっている。
【００４３】
詳細には、支持板３０は、本体部１０に高さ調節板２０を装着しないときの（高さ調節板２０の非装着状態での）第１の高さ位置と、本体部１０に設けた２種類の高さ位置にある挿入孔のうちの低い高さ位置にある挿入孔（挿入孔に関して低い高さ位置である第１の挿入孔の高さ位置に設けた前側壁１３の挿入孔１３ａ及び後側壁１４の挿入孔１４ａ）に高さ調節板２０を装着したときの（高さ調節板２０の第１の装着状態での）第２の高さ位置と、本体部１０に設けた２種類の高さ位置にある挿入孔のうちの高い高さ位置にある挿入孔（挿入孔に関して高い高さ位置である第２の挿入孔の高さ位置に設けた左側壁１５の挿入孔１５ａ及び右側壁１６の挿入孔１６ａ）に高さ調節板２０を装着したときの（高さ調節板２０の第２の装着状態での）第３の高さ位置からなる３段階の高さ位置に配置して、その高さ位置で三脚の脚（三脚の３本の脚のうち、他の２本の脚の下端の高さ位置に対して高さ位置を調節する必要がある１本の脚の下端の高さ位置）を支持することができるようになっている。
【００４４】
そして、例えば、支持板３０の高さを第１の高さ位置（最も低い高さ位置である第１の高さ位置）に設定して使用する場合は、本体部１０に高さ調節板２０を装着しない状態（高さ調節板２０の非装着状態、即ち、本体部１０の単独での使用状態）で、本体部１０の上端尾開口１１から支持板３０を挿入して下方に移動し、支持板３０の下面を本体部１０の底壁１２の上面に当接させる。
【００４５】
これにより、支持板３０が、本体部１０の内部空間で、前記第１の高さ位置に、姿勢を固定した状態で（特に、三脚の脚を本体部１０の内部空間に挿入して支持板３０の上面に脚の下端を当接したときに、脚による上方からの圧力による下方への移動を完全に阻止できる状態で）安定的に保持される。
【００４６】
次に、支持板３０の高さを第２の高さ位置（中間高さ位置である第２の高さ位置）に設定して使用する場合は、本体部１０の下側の挿入孔（前側壁１３の挿入孔１３ａ及び後側壁１４の挿入孔１４ａ）に高さ調節板２０の挿入部２１を装着すると共に本体部１０の内部空間に支持板３０を装着した状態を示す正面図（図１２）、背面図（図１３）、左側面図（図１４）、右側面図（図１５）、平面図（図１６）、底面図（図１７）、正面・平面・右側面を示す斜視図（図１８）等に示すように、本体部１０の前側壁１３の挿入孔１３ａ及び後側壁１４の挿入孔１４ａに挿入部２１を貫通挿入して、高さ調節板２０を本体部１０に装着した第１の状態（高さ調節板２０の第１の装着状態）とし、この後、本体部１０の上端の正方形状の開口１１から前記支持板３０を本体部１０の内部空間に挿入して、支持板３０を本体部１０の内部空間において下方に移動し、支持板３０を高さ調節板２０の挿入部２１に当接させて、支持板３０が本体部１０の内部空間の所定高さ位置（高さ調節板２０の挿入部２１の上面からなる載置面、この場合、本体部１０の前側壁１３の挿入孔１３ａ及び後側壁１４の挿入孔１４ａの上端縁の高さ位置）に配置する。
【００４７】
これにより、支持板３０が、本体部１０の内部空間で、前記第２の高さ位置に、姿勢を固定した状態で（特に、三脚の脚を本体部１０の内部空間に挿入して支持板３０の上面に脚の下端を当接したときに、脚による上方からの圧力による下方への移動を完全に阻止できる状態で）安定的に保持される。
【００４８】
また、支持板３０の高さを第３の高さ位置（最高高さ位置である第３の高さ位置）に設定して使用する場合は、本体部の上側の挿入孔（左側壁１５の挿入孔１５ａ及び右側壁１６の挿入孔１６ａ）に高さ調節板２０の挿入部２１を装着すると共に本体部１０の内部空間に支持板３０を装着した状態を示す正面・平面・右側面を示す斜視図（図１９）等に示すように、本体部１０の左側壁１５の挿入孔１５ａ及び右側壁１６の挿入孔１６ａに挿入部２１を貫通挿入して、高さ調節板２０を本体部１０に装着した第２の状態（高さ調節板２０の第２の装着状態）とし、この後、本体部１０の上端の正方形状の開口１１から前記支持板３０を本体部１０の内部空間に挿入して、支持板３０を本体部１０の内部空間において下方に移動し、支持板３０を高さ調節板２０の挿入部２１に当接させて、支持板３０が本体部１０の内部空間の所定高さ位置（高さ調節板２０の挿入部２１の上面からなる載置面、この場合、本体部１０の左側壁１５の挿入孔１５ａ及び右側壁１６の挿入孔１６ａの上端縁の高さ位置）に配置する。
【００４９】
これにより、支持板３０が、本体部１０の内部空間で、前記第３の高さ位置に、姿勢を固定した状態で（特に、三脚の脚を本体部１０の内部空間に挿入して支持板３０の上面に脚の下端を当接したときに、脚による上方からの圧力による下方への移動を完全に阻止できる状態で）安定的に保持される。
【００５０】
［作用及び効果］
本実施の形態の三脚用脚高さ調節装置は、上記のようにして、支持板３０を、本体部３０に対して３段階の高さ位置に配置して、その高さ位置で三脚の脚（三脚の３本の脚のうち、他の２本の脚の下端の高さ位置に対して高さ位置を調節する必要がある１本の脚の下端の高さ位置）を支持することができる。即ち、例えば、庭木剪定時に、剪定作業者が、剪定対象の庭木の直近位置に設置する三脚の脚、特に、地面に接地する支持点となる３点の脚のうち、梯子の両側部を構成する一対（２本）の脚（以下、「一対支持脚」という。）と対向配置される１本の脚（以下、「単独支持脚」という。）の下端に接触して支持するよう、本実施の形態の三脚用脚高さ調節装置を前記単独支持脚の下側に配置することで、本実施の形態の三脚用脚高さ調節装置が、単独支持脚の下端と地面との間に介装されて、本実施の形態の三脚用脚高さ調節装置が、単独支持脚の高さを調節することにより、本実施の形態の三脚用脚高さ調節装置が、当該設置地面部分における三脚の一対支持脚と単独支持脚との間の高さの相違（例えば、地面に凹凸や段差がある場合に、一対支持脚と単独支持脚との間に生じる高さの相違、若しくは、単独支持脚と地面との間に生じる隙間）を吸収し、本実施の形態の三脚用脚高さ調節装置が、三脚全体を水平面に設置した場合と同様の安定性を当該三脚に提供することができる。
【符号の説明】
【００５１】
１０：本体部
１１：開口
１２：底壁
１３：前側壁
１３ａ：挿入孔
１４：後側壁
１４ａ：挿入孔
１５：左側壁
１５ａ：挿入孔
１６：右側壁
１６ａ：挿入孔
２０：高さ調節板
２１：挿入部
２２：規制部
３０：支持板
【図１】
0003225609.tif 000003
【図２】
0003225609.tif 000004
【図３】
0003225609.tif 000005
【図４】
0003225609.tif 000006
【図５】
0003225609.tif 000007
【図６】
0003225609.tif 000008
【図７】
0003225609.tif 000009
【図８】
0003225609.tif 000010
【図９】
0003225609.tif 000011
【図１０】
0003225609.tif 000012
【図１１】
0003225609.tif 000013
【図１２】
0003225609.tif 000014
【図１３】
0003225609.tif 000015
【図１４】
0003225609.tif 000016
【図１５】
0003225609.tif 000017
【図１６】
0003225609.tif 000018
【図１７】
0003225609.tif 000019
【図１８】
0003225609.tif 000020
【図１９】
0003225609.tif 000021
【図２０】
0003225609.tif 000022
【図２１】
0003225609.tif 000023